(57)【特許請求の範囲】
【請求項１】
スライダーには、略コ字状に屈折した板バネ１７の一端を胴体１５の前部に固定し、他端の中央寄りに停止爪３０を突設してガイド溝２７に弾出させ、一方開離嵌挿具における蝶棒３の外側上面で停止爪３０の対向面に、凹状の停止爪３０の回避部１０を設け、該回避部１０は蝶棒３の先端から蝶棒３の頂端で外側へ突出する咬合止部５の基部まで設け、蝶棒３の前半分の片隅を斜面状に切欠して斜面６を形成し、後半分の片隅を斜面７と水平面８に切欠して回避部１０を形成し、停止爪３０は蝶棒３の回避部１０上へ出没可能に形成したことを特徴とする停止装置付スライダー用の開離嵌挿具。
【請求項２】
停止爪３０は箱棒２の頂面外であって、蝶棒３の咬合止部５の下面に出没自在に弾出させ、蝶棒３の右差し、左差し兼用可能に形成してなる請求項１記載の停止装置付スライダー用の開離嵌挿具。
【発明の詳細な説明】
【０００１】
【発明の属する技術分野】
この発明は、スライドファスナーにおける開離嵌挿具であり、ファスナーチェンに装備された停止装置付スライダーの停止爪が、蝶棒の箱体への挿入時に邪魔にならないように蝶棒に改良を加えた、スライドファスナーにおける停止装置付スライダー用の開離嵌挿具に関するものである。
【０００２】
【従来の技術】
従来、ファスナーチェンの下端部を分離できる開離嵌挿具を備えたファスナーチェンにおいて、ファスナーチェンに装備される停止装置付スライダーにおける板バネに配した停止爪は、開離嵌挿具における箱棒および蝶棒には直接関係しない咬合子すなわちファスナーエレメント部分に停止爪が突出するように停止爪を偏位して設け、特に箱棒を装着した側のファスナーストリンガーの咬合子上に突出させることによって、蝶棒の箱体への嵌脱操作には、直接関係しないように形成されているため、箱棒および蝶棒には特別に加工を施していない開離嵌挿具および停止装置付スライダーが知られている。
【０００３】
【発明が解決しようとする課題】
前項で述べた従来の開離嵌挿具および停止装置付スライダーにおいては、ファスナーチェンに装備された開離嵌挿具の蝶棒を箱体に対し差込み操作をする際、右差用の蝶棒であれば右差し専用であり、左差用の蝶棒であれば左差し専用であって、右差し、左差しを兼用することができない。したがって右差し、左差し専用であれば、スライダーの構成部品、組立加工機、スライドファスナーなど全て２種類用意しなければならないので、生産管理、在庫管理がきわめて煩雑で面倒であるなど問題点がある。
【０００４】
特に半自動停止装置付スライダーの場合、停止爪を折り曲げて一体に備えた板バネが、自動停止装置付スライダーに用いる板バネよりも分厚く、しかも停止爪が咬合子をガイドするガイド溝の方へ略垂直に向いているため、蝶棒の差込側に停止爪があると、蝶棒の箱体への差込み操作の際、蝶棒によって停止爪を跳ね上げるのが困難であり、蝶棒の差込みができない。したがって右差し、左差しを兼用することは甚だ難しいという問題点がある。
【０００５】
この発明は、上述の問題点を考慮して発明されたものであり、この発明のうち請求項１記載の発明は、ファスナーチェンに装備した停止装置付スライダーの停止爪を簡単な構造で回避できるように蝶棒に加工を施し、蝶棒の箱体への差込み操作が支障なく円滑に行え、かつ差込み操作中、停止爪との係止を回避し、そのうえ右差し、左差しが簡易に行える兼用ができる蝶棒に仕上げ、簡便に生産管理、在庫管理ができる停止装置付スライダー用の開離嵌挿具を提供することが主たる目的である。
【０００６】
請求項２記載の発明は、請求項１記載の発明の目的に加え、停止装置付スライダーの停止爪を突出させる配置個所を特定することによって、箱体に対する蝶棒の右差し、左差しの差込み操作が的確かつ円滑に行える停止装置付スライダー用の開離嵌挿具を提供することが目的である。
【０００７】
【課題を解決するための手段】
上述の目的を達成するため、この発明のうち請求項１記載の発明は、停止装置付スライダーには、略コ字状に屈折した板バネ１７の一端をスライダー胴体１５の前部すなわち案内柱２０に装着固定し、板バネ１７の他端の中央寄りに停止爪３０を突設し、この停止爪３０を胴体１５に設けた咬合子Ｅのガイド溝２７に弾出させ、一方開離嵌挿具における蝶棒３の外側上面であって、停止爪３０と対向する面に、片隅を切欠して凹状の停止爪３０の回避部１０を設け、この回避部１０は、蝶棒３の先端から蝶棒３の頂端であって外側へ突出する咬合子Ｅの形態を呈する咬合止部５の基部まで設け、蝶棒３の前半分の片隅を斜面状に切り欠いて斜面６を形成し、蝶棒３の後半分の片隅を切り欠いて斜面７と水平面８に形成して回避部１０を設け、停止爪３０は蝶棒３に形成した回避部１０上へ出没できるように形成したスライドファスナーの開離嵌挿具を主な構成とするものである。
【０００８】
請求項２記載の発明は、請求項１記載の発明の構成に加え、停止装置の停止爪３０は箱棒２の頂面外すなわち頂部外であって、蝶棒３の咬合止部５の下面との間に出没自在に弾出させ、蝶棒３の右差し、左差し操作が行える兼用可能に形成したスライドファスナーの開離嵌挿具である。
【０００９】
【発明の実施の形態】
以下、この発明のスライドファスナーにおける停止装置付スライダー用の開離嵌挿具の実施の形態について、図面を参照しながら具体的に説明する。
【００１０】
この発明のスライドファスナーにおける停止装置付スライダー用の開離嵌挿具は、図１に示すように開離嵌挿具は、箱体１、箱棒２、蝶棒３の３部材から形成され、これら箱体１、箱棒２、蝶棒３は、それぞれポリアミド、ポリアセタール、ポリプロピレン、ポリブチレンテレフタレートなどの熱可塑性樹脂を用いて射出成形または押出成形手段によって一体成形する。
【００１１】
箱棒２は略角柱状を呈し、ファスナーストリンガーテープＴの側縁に取付けた咬合子Ｅすなわちファスナーエレメントに連接してファスナーストリンガーテープＴの側縁に一体成形によって装着され、また箱棒２の頂部すなわち咬合子Ｅに隣接する側の外側面に図４に示すように平面三角状に突出し、頂面が箱棒２と一致する断面凸状の突条部４が突設されている。
【００１２】
なお、図示された咬合子Ｅは熱可塑性樹脂を一体成形によってファスナーストリンガーテープＴの側縁に装着したものであるが、金属製の咬合子をダイカスト成形または打板、板金加工によって装着した金属製ファスナーチェンであってもよい。金属製咬合子の場合は、箱体、箱棒、蝶棒の開離嵌挿具も亜鉛合金、アルミニウム合金などをダイカスト成形によって形成するのがよい。
【００１３】
一方蝶棒３は箱棒２よりも長めで略角柱状を呈し、全体がややくの字に曲って差込み操作がし易いように形成され、ファスナーストリンガーテープＴの側縁に取付けた咬合子Ｅに連接してファスナーストリンガーテープＴの側縁に一体成形によって装着され、蝶棒３の頂部すなわち咬合子Ｅに隣接する側に咬合子Ｅと同形で下側半分が欠除した形態の咬合止部５が咬合子Ｅの向きと同じ外側に向けて一体に突設されている。
【００１４】
蝶棒３の長手方向における先端側の半分の片隅すなわち外側上部の隅部を斜面状に切欠して斜面６を形成し、また咬合止部５の基部までの半分の片隅すなわち外側上部の隅部を内側が斜面７、外側端が水平面８を形成するように切欠され、この斜面６、７および水平面８はスライダーの停止爪３０の係止を回避するための回避部１０を形成している。さらに蝶棒３の頂部側の外面には前記箱棒２の突条部４と対接嵌合できる断面凹状の凹溝部９が形成されている。
【００１５】
箱体１は箱棒２の約半分程度の丈の矩形台形で一方に箱棒２を収容する収納孔、他方に蝶棒３を挿入する挿入孔１１が設けられ、箱体１の両側面にはファスナーストリンガーテープＴを挿通する切目１２がそれぞれ収納孔および挿入孔１１に連通する形で設けられ、箱棒２は収納孔に挿入し適宜手段で密着係止して固定されている。なお箱体１と箱棒２とを一体成形手段によって一体に形成してもよい。
【００１６】
停止装置付スライダーは、図２、３に示すようにスライダー胴体１５、引手１６、板バネ１７の３部材から形成され、胴体１５はアルミニウム合金、亜鉛合金などの金属をダイカスト成形して形成し、胴体１５は上翼板１８、下翼板１９を案内柱２０によって連結し、案内柱２０の前部は囲壁２１によって囲設され、囲壁２１は上翼板１８の表面上まで突出し、装着される板バネ１７を保護する形態に形成されている。この囲壁２１と案内柱２０との間には空隙部２２が設けられ、板バネ１７の基部２８を収容することができる。すなわち案内柱２０の前方下部には空隙部２２内に突出する２個の突部２３が併設され、板バネ１７の基部２８を係止できるように形成されている。
【００１７】
胴体１５の上翼板１８における囲壁２１の後端から後口２４に向けて突出する引手１６を軸支する軸支部２５が突設され、この軸支部２５間に停止爪３０がガイド溝２７の方へ略垂直に向けて挿入し作動するための爪孔２６が胴体１５に設けた咬合子Ｅをガイドするガイド溝２７まで穿孔されている。
【００１８】
板バネ１７は図３に示すように全体が略コ字状を呈し、一端の基部２８の両側には凹欠部２９が凹設され、他端の先端の中央寄りに偏位して停止爪３０がガイド溝２７の方へ略垂直にむけて突設され、停止爪３０の上側の隅部に凹部３１が形成され、引手１６の枢軸３２を収容できるように形成されている。
【００１９】
引手１６は長方板で一端に板バネ１７が嵌挿される孔部３４を設けることによって枢軸３２が架設され、この枢軸３２は半月状のカム部３３が形成され、引手１６を胴体１５の後口２４側へ横倒した時、上半分が欠除された形態でカム部３３が形成されている。このカム部３３は半月状でなくとも長円形でも、スライダーの操作時に引手を引張ることによって、板バネ１７を作動させる形状であればよい。
【００２０】
停止装置付スライダーの組立ては、胴体１５上に突設した軸支部２５に引手１６の枢軸３２を軸支し、その上方から板バネ１７を当接させて板バネ１７の基部２８を囲壁２１内の空隙部２２に弾発的に挿入し、凹欠部２９を案内柱２０の前面に設けた突部２３に嵌入係止して板バネ１７の基部２８を固定し、先端の停止爪３０をガイド溝２７に常時弾発的に突出させる。したがって引手１６を起立させると枢軸３２のカム部３３によって板バネ１７は持ち上げられ、停止爪３０をガイド溝２７から脱出させ、スライダーを自由に摺動させることができる。引手１６を後口２４側へ倒伏させると停止爪３０はガイド溝２７内へ突出し、咬合子Ｅ間に挿入してスライダーを半自動的に停止させる。
【００２１】
なお板バネ１７の基部２８に設ける凹欠部２９の代りに、基部２８に透孔を穿設し、案内柱２０の前面に１個の突部を突設して透孔と突部とを嵌合して係止して板バネ１７を固定してもよい。
【００２２】
この発明のスライドファスナーにおける停止装置付スライダー用の開離嵌挿具の操作態様について説明すると、図４、５に示すようにファスナーストリンガーに嵌挿されたスライダーをストリンガーテープＴに固定された箱体１に摺動させて当接し、一方のファスナーストリンガーテープＴに装着された蝶棒３をスライダーのガイド溝２７に挿入した後、図６、７に示すように箱体１の挿入孔１１に挿入する。この操作の際停止爪３０は常時スライダーの蝶棒３側のガイド溝２７に突出しているが、蝶棒３の回避部１０である斜面６、７および水平面８によって、停止爪３０の係止を回避し、蝶棒３は支障なく箱体１に挿入できる。また停止爪３０は箱棒２の頂面上であって蝶棒３の咬合止部５の下面との間に介在するように形成され、蝶棒３の隅部に設けられた回避部１０は箱棒２よりも長く設定されている。そして蝶棒３を挿入後、スライダーの引手１６を起立させて引張ればファスナーチェンは閉鎖される。
【００２３】
前述のとおり図４〜７に示した態様は、スライドファスナーがたとえばジャンパー等の衣服の前側開口部に対し、蝶棒３のあるファスナーストリンガーが左側に、箱棒２と箱体１のあるファスナーストリンガーが右側に取付けてある場合であって、蝶棒３が箱体１に対して左差しの態様について説明したものであるが、同じ態様の蝶棒３を右差し態様に使用する場合について説明すると、前記説明した形態の箱体１、箱棒２、蝶棒３を備えたファスナーチェンに挿通される停止装置付スライダーが反対側すなわち逆面に装備された場合、たとえば図８、９に示す態様の場合は板バネ１７の停止爪３０が箱棒２側の咬合子Ｅ上に突出する。そしてスライダーを箱体１に衝接停止させたとき、停止爪３０は図８に示すように箱棒２の頂面外に位置するため、箱体１に蝶棒３を差込む操作の際、図９に示すように蝶棒３は停止爪３０に関与することなく簡易に箱体１の挿入孔１１に差込むことができる。したがってこの形態の蝶棒３は箱体１に対し左差しでも右差しでも支障なく使用できることが理解できるであろう。
【００２４】
【発明の効果】
この発明のスライドファスナーにおける停止装置付スライダー用の開離嵌装具は、以上説明したとおりの構成であり、この構成によって下記の効果を奏するものである。
【００２５】
この発明のうち請求項１記載の発明は、スライダーに略コ字状に屈折した板バネの一端を胴体の前部に固定し、他端の中央寄りに停止爪を突設してガイド溝に弾出させ、開離嵌挿具における蝶棒の外側上面で停止爪の対向面に、凹状の停止爪の回避部を設け、回避部は蝶棒の先端から蝶棒の頂端で外側へ突出する咬合止部の基部まで設け、蝶棒の前半分の片隅を斜面状に切欠して斜面を形成し、後半分の片隅を斜面と水平面に切欠して回避部を形成し、停止爪は蝶棒の回避部上へ出没可能に形成したことによって、強力な板バネを胴体に装着することができ、しかも板バネに設けた停止爪を蝶棒上に出没させても蝶棒には停止爪の係止を回避する回避部を長く設けているので、従来のこのタイプのスライダーであると蝶棒が停止爪に衝突して差込むことができなかったが、この発明は容易に差込むことができ、蝶棒の箱体に対する嵌脱操作が円滑かつ的確に行え、そのうえ蝶棒の形態を変更することなく右差しが左差しに兼用することができ、生産管理、在庫管理が容易である効果がある。
【００２６】
請求項２記載の発明は、請求項１記載の発明の効果に加え、停止爪は箱棒の頂面外であって、蝶棒の咬合止部の下面に出没自在に弾出させ、蝶棒の左差し、右差し兼用可能に形成したことによって、停止爪が箱棒の頂面外であり、蝶棒の咬合止部の下面に位置するように形成されているから、蝶棒を箱体に対し左差しのみでなく右差しに簡単に変更でき、差込み操作が的確かつ円滑に行うことができる効果があるなど、この発明が奏する効果はきわめて顕著である。
【図面の簡単な説明】
【図１】停止装置付スライダー用の開離嵌挿具の斜視図である。
【図２】停止装置付スライダーの縦断面図である。
【図３】板バネの斜視図である。
【図４】蝶棒の左差し込み時における要部の横断面図である。
【図５】同上Ａ−Ａ断面図である。
【図６】蝶棒の左差し込み完了時における要部の横断面図である。
【図７】同上Ｂ−Ｂ断面図である。
【図８】蝶棒の右差し込み完了時における要部の横断面図である。
【図９】同上Ｃ−Ｃ断面図である。
【符号の説明】
１        箱体
２        箱棒
３        蝶棒
４        突条部
５        咬合止部
６、７    斜面
８        水平面
９        凹溝部
１０      回避部
１５      胴体
１６      引手
１７      板バネ
２０      案内柱
２１      囲壁
２３      突部
２５      軸支部
２６      爪孔
２７      ガイド溝
２８      基部
２９      凹欠部
３０      停止爪
３１      凹部
３２      枢軸
３３      カム部
【図１】
0003622885.tif 000002
【図２】
0003622885.tif 000003
【図３】
0003622885.tif 000004
【図４】
0003622885.tif 000005
【図５】
0003622885.tif 000006
【図６】
0003622885.tif 000007
【図７】
0003622885.tif 000008
【図８】
0003622885.tif 000009
【図９】
0003622885.tif 000010